(57)【要約】【課題】既存の油圧ショベルに手を加える必要なく取り付けを行なうことができると共に、アームへの取り付け位置を変えてバケットとのかみ合わせを調整することができる油圧ショベルのアタッチメントを提供する。【解決手段】バケット１の開口部１ａに対向して配置され、バケット１を回動させることによってバケット１との間に物を挟むことができるようにした爪本体３と、爪本体３をアーム２に取り付けるための補助体４とを備える。爪本体３の基部の取付部５と補助体４とでアーム２を挟むと共に取付部５と補助体４とを脱着自在に結合させることによって、爪本体３がアーム２に取り付けられるようになっている。【選択図】図１
0003196587.tif 000002
【実用新案登録請求の範囲】
【請求項１】
油圧ショベルのバケットを装着したアームに取り付けて使用されるアタッチメントであって、バケットの開口部に対向して配置され、バケットを回動させることによってバケットとの間に物を挟むことができるようにした爪本体と、爪本体をアームに取り付けるための補助体とを備えて形成され、爪本体の基部の取付部と補助体とでアームを挟むと共に取付部と補助体とを脱着自在に結合させることによって、爪本体がアームに取り付けられるものであることを特徴とする油圧ショベルのアタッチメント。
【請求項２】
爪本体の取付部の両側に設けた連結片と、補助体の両側に形成される連結部との間にボルトを通し、ボルトにナットを螺結して取付部と補助体との間にアームを挟持させることによって、爪本体をアームに取り付けるようにしたことを特徴とする請求項１に記載の油圧ショベルのアタッチメント。
【請求項３】
爪本体の取付部の上記連結片を、取付部のアームに接する面から連結片までの垂直距離が先部側程短く基部側程長くなるように傾斜させたことを特徴とする請求項１又は２に記載の油圧ショベルのアタッチメント。
【請求項４】
爪本体の取付部のアームに接する面と、補助体のアームに接する面にそれぞれ弾性シートを設けたことを特徴とする請求項１乃至３のいずれかに記載の油圧ショベルのアタッチメント。
【考案の詳細な説明】
【技術分野】
【０００１】
本考案は、油圧ショベルのアタッチメント、特にバケットを利用して物を挟んでつかむ機能を付与できるようにしたアタッチメントに関するものである。
【背景技術】
【０００２】
土木建設現場などで活躍する油圧ショベル（パワーショベル、ユンボ、バックホーなどとも呼ばれる）は、油圧で作動するバケットを装着した状態で使用されることが多い。このような油圧ショベルにアタッチメントを取り付けることによって、各種の作業に適した機能を付与することが従来から行なわれている。
【０００３】
例えば、バケットを装着した油圧ショベルのアームに、バケットと対向する位置で爪型のアタッチメントを取り付けることによって、油圧で回動されるバケットと爪型のアタッチメントの間に物を挟んでつかむ機能を付与することができる。そしてこのようなアタッチメントとして、従来から特許文献１〜３にみられるようなものが提案されている。
【０００４】
例えば特許文献１で提案されるアタッチメントは、図４（ａ）に示すように爪部１６と取り付け台１７から形成されるものであり、図４（ｂ）のように油圧ショベルＡに取り付けて使用されるものである。すなわち、油圧ショベルＡのアーム２の先端にはバケット１が取り付けてあり、バケット１は油圧シリンダー１８の作動によって回動されるようになっている。そしてバケットの１の根元の位置においてアーム２に取り付け台１７を溶接やボルトで予め固定しておき、内部が中空に形成される爪部１６の基部を取り付け台１７にはめ込み、爪部１６と取り付け台１７の各ボルト穴１９にボルトをねじ込んで取り付け台１７に爪部１６を固定することによって、取り付け台１７を介して爪部１６をアーム２に取り付けるようにしてある。
【０００５】
このようにアタッチメントを油圧ショベルＡのアーム２に取り付けた状態で、油圧シリンダー１８でバケット１を回動させると、バケット１はアタッチメントの爪部１６に対して近接・離間するように動くので、爪部１６とバケット１の間で物を挟んでつかむことができるものである。また爪部１６を取り付け台１７から外してアーム２から取り外しておけば、バケット１を本来の掘削等に使用することができるものである。
【先行技術文献】
【特許文献】
【０００６】
【特許文献１】実用新案登録第３０２１７８２号公報
【０００７】
【特許文献２】特許第３５５１８６６号公報
【０００８】
【特許文献３】特開２００４-３２４１８２号公報
【考案の概要】
【考案が解決しようとする課題】
【０００９】
上記の特許文献１のアタッチメントによれば、アーム２に取り付け台１７を溶接やボルト止めで固定しておけば、取り付け台１７を介してアーム２に爪部１６を取り付けることができるので、メーカーや機種などに制限されることなく既存の油圧ショベルＡに爪部１６を装着して使用することができるものである。
【００１０】
しかしながら、取り付け台１７をアーム２に溶接で固定する場合、一旦溶接すると取り外すことが困難になり、また取り付け台１７をボルト止めしてアーム２に固定する場合においても、アーム２にボルト止めができるように加工を施す必要があり、いずれにしても油圧ショベルＡに手を加えることになるために、いわば傷を付ける結果になるという問題があった。またこのように油圧ショベルＡに手を加える必要があるため、レンタルなど借りた油圧ショベルＡにはアタッチメントを適用することはできないものである。
【００１１】
また、アーム２への爪部１６の取り付け位置は、予め固定した取り付け台１７の位置に限定されることになる。このため、バケット１に対する爪部１６の取り付け位置を変えることによって、バケット１と爪部１６とのかみ合わせを調整するというようなことはできないものであった。そして上記の引用文献２，３においても、これらと同様な問題を有するものである。
【００１２】
本考案は上記の点に鑑みてなされたものであり、既存の油圧ショベルに手を加える必要なく取り付けを行なうことができると共に、アームへの取り付け位置を変えてバケットとのかみ合わせを調整することができる油圧ショベルのアタッチメントを提供することを目的とするものである。
【課題を解決するための手段】
【００１３】
本考案に係る油圧ショベルのアタッチメントは、油圧ショベルＡのバケット１を装着したアーム２に取り付けて使用されるアタッチメントであって、バケット１の開口部１ａに対向して配置され、バケット１を回動させることによってバケット１との間に物を挟むことができるようにした爪本体３と、爪本体３をアーム２に取り付けるための補助体４とを備えて形成され、爪本体３の基部の取付部５と補助体４とでアーム２を挟むと共に取付部５と補助体４とを脱着自在に結合させることによって、爪本体３がアーム２に取り付けられるものであることを特徴とするものである。
【００１４】
アタッチメントの爪本体３は、基部の取付部５と補助体４との間にアーム２を挟み込むことによってアーム２に取り付けられるものであり、爪本体３をアーム２に取り付けるにあたって、アーム２に溶接やボルト穴加工など手を加えるような必要がなくなるものである。また爪本体３の取付部５と補助体４との間で挟み込むアーム２の位置を変えることによって、アーム２への爪本体３の取り付け位置を変えて、バケット１に対する爪本体３の取り付け位置を変えることによって、バケット１と爪本体３とのかみ合わせを調整することができるものである。さらに、爪本体３と補助体４との結合を外すことによって、爪本体４をアーム２から取り外すことができるものであり、爪本体３が邪魔になるようなことなく、バケット１を本来の掘削等の作業に使用することができるものである。
【００１５】
また本考案は、爪本体３の取付部５の両側に設けた連結片６と、補助体４の両側に形成される連結部７との間にボルト８を通し、ボルト８にナット９を螺結して取付部５と補助体４との間にアーム２を挟持させることによって、爪本体３をアーム２に取り付けるようにしたことを特徴とするものである。
【００１６】
ボルト８にナット９を螺合する作業でアーム２への爪本体３の取り付けを行なうことができると共に、ボルト８からナット９を外す作業でアーム２から爪本体３を取り外すことができ、爪本体３の取り付けや取り外しの作業を容易に行なうことができるものである。また油圧ショベルＡの機種ごとにアーム２の厚みは異なるが、爪本体３の連結片６と補助体４の連結部７の間隔をボルト８の長さの範囲で調整することでアーム２の厚みに合わせることができ、支障なく爪本体３の取り付けを行なうことができるものである。さらにボルト８に対するナット９の締め付けを緩めることによって、アーム２の長手方向に沿って爪本体３をスライドさせることができ、爪本体３をアーム２から取り外す必要なく取り付け位置をずらして変えることができるものである。
【００１７】
また本考案は、爪本体３の取付部５の上記連結片６を、取付部５のアーム２に接する面から連結片６までの垂直距離が先部側程短く基部側程長くなるように傾斜させたことを特徴とするものである。
【００１８】
油圧ショベルＡのアーム２の先部は、一般に先端ほど徐々に径（厚み）が小さくなるよう先細りに形成されているが、爪本体３の取付部５の両側に設けた連結片６はアーム２の先細りに合うように傾斜しているものであり、連結片６に対して補助体４を平行になるように配置した状態で結合させることができ、連結片６と補助体４を安定した状態で結合してアーム２に対する爪本体３の取り付け強度が高めることができるものである。
【００１９】
また本発明は、爪本体３の取付部５のアーム２に接する面と、補助体４のアーム２に接する面にそれぞれ弾性シート１０，１１を設けたことを特徴とするものである。
【００２０】
アーム２に対して爪本体３や補助体４は弾性シート１０，１１を介して接するものであり、アーム２を傷付けることを防止できると共に、アーム２に対して爪本体３や補助体４が滑り難くなって、爪本体３を安定してアーム２に取り付けることができるものである。
【考案の効果】
【００２１】
本考案によれば、基部の取付部５と補助体４との間にアーム２を挟み込むことによって、アタッチメントの爪本体３をアーム２に取り付けることができるものであり、爪本体３を取り付けるために、アーム２に溶接やボルト穴加工など手を加えるような必要がなくなるものである。また爪本体３の取付部５と補助体４との間で挟み込む位置を変えることによって、アーム２への爪本体３の取り付け位置を変えることができ、バケット１に対する爪本体３の位置を変えてバケット１と爪本体３とのかみ合わせを調整することができるものである。さらに爪本体３と補助体４との結合を外すことによって、爪本体４をアーム２から取り外すことができ、爪本体４が邪魔になるようなことなくバケット１を本来の掘削等に使用することができるものである。
【図面の簡単な説明】
【００２２】
【図１】本考案の実施の形態の一例を示すものであり、（ａ）及び（ｂ）は油圧ショベルのアームに装着した状態を示す斜視図である。
【図２】本考案の実施の形態の一例を示すものであり、（ａ）は爪本体の斜視図、（ｂ）は補助体の上下を逆にした状態での斜視図である。
【図３】本考案の実施の形態の一例を示すものであり、（ａ）は爪本体の正面図、（ｂ）は爪本体の平面図である。
【図４】従来例を示すものであり、（ａ）はアタッチメントの断面図、（ｂ）は油圧ショベルのアームに装着した状態を示す縮小した概略正面図である。
【考案を実施するための形態】
【００２３】
以下、本考案の実施の形態を説明する。
本考案に係るアタッチメントは、爪本体３と補助体４とから構成されるものであり、爪本体３は先部の爪部３ａと、基部の取付部５とから形成してある。爪部３ａは上面が開口する断面コ字型に、取付部５は下向きに開口する断面コ字型に、いずれも金属材で形成されるものである。そして爪部３ａは図２（ａ）や図３（ａ）に示すように、取付部５の一端から下方へフォーク状に屈曲するように突出させて形成してあり、爪部３ａの先端部の上面に滑り止め用の複数のバー２２が取り付けてある。取付部５と爪部３ａは溶接により一体化されているものであり、取付部５の先部側面から爪部３ａの後部側面にかけて補強板２３を溶接して取り付けることによって、爪本体３の強度を向上するようにしてある。
【００２４】
取付部５の両側面の上端部に金属のアングル材２４が溶接して取り付けてある。各アングル材２４はそれぞれ水平片が上側になり且つ外方へ張り出すように取り付けられるものであり、アングル材２４のこの水平片によって連結片６が形成されるものである。従って連結片６は取付部５の上面よりも上側に位置して、取付部５の外側方へ鍔状に突出するように形成されるものである。またアングル材２４は連結片６が取付部５の上面に対して傾斜するように傾けて取付部５に取り付けられるものである。すなわち、図２（ａ）に示すように、取付部５のアーム２に接する面である上面から連結片６の上面までの垂直距離が、連結片６の先部側が短く（Ｌ１）、基部側が長く（Ｌ２）なるように、連結片６を傾斜させてある。油圧ショベルＡのアーム２の先部は一般に先端ほど細くなるように先細りに形成されているので、連結片６の傾斜の角度は、アーム２の先細りに適合するように形成されるものである。また連結片６には前後方向の複数個所（２か所）において取付孔２５が穿設してある。
【００２５】
補助体４は図２（ｂ）に示すように、金属の矩形板で形成してある。補助体４の両側部分は連結部７となるものであり、連結部７には上記の連結片６の取付孔２５に対応する位置で取付孔２６が穿設してある。また補助体４のアーム２に接することになる下面の中央部に弾性シート１１が接着等して取り付けてある。爪本体３の取付部５のアーム２に接することになる上面にも弾性シート１０が接着等して取り付けてある。この弾性シート１０，１１としては、ゴムシートを用いることができるものである。
【００２６】
次に、上記のように形成されるアタッチメントを油圧ショベルＡのバケット１を装着したアーム２に取り付ける方法を説明する。バケット１は通常、その開口部が下側を向く姿勢でアーム２の先端に上下回動自在に取り付けてあり、バケット１を回動作動させる油圧シリンダー１８はアーム２の上面に設けてある。そしてまず、アーム２の先端部の下側に爪本体３を、上側に補助体４をそれぞれ配置し、爪本体３の取付部５の両側のアングル材２４の間にアーム２をはめ込むようにして、取付部５の上面をアーム２の下面に当接させると共に、補助体４の下面をアーム２の上面に当接させる。このとき、取付部５の上面と補助体４の下面にはそれぞれ弾性シート１０，１１が張ってあるので、取付部５と補助体４は弾性シート１０，１１を介してアーム２に接するものであり、アーム２の表面を取付部５や補助体４で傷付けることを防ぐことができる。
【００２７】
次に、ボルト８を補助体４の連結部７に設けた各取付孔２６から、爪本体３の取付部５の連結片６に設けた各取付孔２５へと通し、各ボルト８にその先端からナット９をねじ込んで締め付けることによって、爪本体３の取付部５と補助体４との間にアーム２を挟み付けることができるものであり、この取付部５と補助体４によるアーム２の挟持力により、爪本体３をアーム２の下面側に取り付けて固定することができるものである。また上記のように取付部５と補助体４は弾性シート１０，１１を介してアーム２に接しているので、弾性シート１０，１１による密着作用で、取付部５や補助体４がアーム２の表面を滑ることを防ぐことができ、爪本体３をアーム２に安定して取り付けることができるものである。
【００２８】
爪本体３は図１（ａ）に示すように、先部の爪部３ａがアーム２の先端より突出するようにアーム２に取り付けられるものであり、爪部３ａはバケット１の開口部１ａに対応するように配置されるものである。そしてバケット１は油圧シリンダー１８によって上下方向に回動駆動されるので、バケット１を下方へ回動させることによって、図１（ｂ）に示すように、資材２８などの物をバケット１と爪本体３の爪部３ａとの間に挟んでつかむことができるものであり、資材２８などの重量物をつかんで移動させたり運搬したりする機能を油圧ショベルＡに付与することができるものである。
【００２９】
ここで、アタッチメントの爪本体３は、基部の取付部５と補助体４とでアーム２を上下から挟持させることによって、アーム２に取り付けることができるようにしたものであり、爪本体３を取り付けにあたってアーム２に溶接やボルト穴加工など何らかの手を加える必要はない。従って、アーム２には何の変化も与えることがなく、アーム２に傷を付けるようなことがないものであり、例えばレンタルなど借りた油圧ショベルＡに爪本体３を装着して使用することも可能になるものである。
【００３０】
また、ボルト８とナット９の締め付けを緩めることによって、爪本体３をアーム２から取り外すことなく、爪本体３の取付部５と補助体４をアーム２に沿って前後方向にスライドさせて移動させることができ、アーム２への爪本体３の取り付け位置を変えることができるものである。そしてこのようにアーム２への爪本体３の取り付け位置を変えることによって、バケット１に対する爪本体３の爪部３ａの位置を調整することができるものであり、バケット１と爪部３ａとのかみ合わせを調整することができるものである。
【００３１】
さらに上記したように、爪本体３の取付部５の連結片６は、取付部５のアーム２に接する面である上面から連結片６の上面までの垂直距離が、連結片６の先部側が短く（Ｌ１）、基部側が長く（Ｌ２）なるように、連結片６を傾斜させてあるので、図１のように先細りする形状に形成されるアーム２に爪本体３を取り付けるにあたって、先細りするアーム２の上面に対して連結片６は平行に配置されることになる。従って、アーム２の上面に接して配置される補助体４の連結部７を連結片６に対して図１に示すように平行に配置させることができるものであり、連結部７と連結片６を前後複数個所（２か所）でボルト・ナット８，９で締め付けて取付部５と補助体４でアーム２を挟み込むことにより、アーム２に爪本体３を取り付けるにあたって、各箇所でのボルト・ナット８，９の締め付け力が均一になる。このため、連結片６と補助体４を安定した状態で結合することができ、アーム２に対する爪本体３の取り付け強度が高めることができるものである。
【００３２】
尚、上記の実施の形態では、爪本体３をアーム２の下側に装着するようにしたが、バケット１の開口部１ａの向きが上向きなるように装着されている油圧ショベルＡの場合には、爪本体３はアーム２の上側に装着されるものである。この場合には、上記の説明における「上」と「下」の関係は逆になる。
【符号の説明】
【００３３】
１  バケット
２  アーム
３  爪本体
４  補助体
５  取付部
６  連結片
７  連結部
８  ボルト
９  ナット
１０  弾性シート
１１  弾性シート
【図１】
0003196587.tif 000003
【図２】
0003196587.tif 000004
【図３】
0003196587.tif 000005
【図４】
0003196587.tif 000006
【手続補正書】
【提出日】平成26年11月19日(2014.11.19)
【手続補正１】
【補正対象書類名】実用新案登録請求の範囲
【補正対象項目名】請求項３
【補正方法】変更
【補正の内容】
【請求項３】
爪本体の取付部の上記連結片を、取付部のアームに接する面から連結片までの垂直距離が先部側程短く基部側程長くなるように傾斜させたことを特徴とする請求項２に記載の油圧ショベルのアタッチメント。